Podtech/llm-jp-corpus-v4-ja_patent huggingface dataset:
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
活性成分が、
Ｄ１、Ｄ２及び／又はＤ３受容体のリガンドであるプロドーパミン作用を持つ直接ドーパミン作動性受容体アゴニスト化合物と、部分的又は完全な間接プロドーパミン作動性生成物との組合せから構成され、同時又は逐次に使用することが意図される２種の医薬の組合せである、新規な薬剤組成物であって、
この直接ドーパミン作動性受容体アゴニスト化合物が、特に、アミスルプリド、リスペリドン、スルピリド、メトクロプラミド、ハロペリドール及びオランザピンから選択されることを特徴とする組成物。
【請求項２】
プロドーパミン作用を持つ直接ドーパミン作動性受容体アゴニスト化合物が、二次的セロトニン作動性成分をも有する分子、例えば、オランザピンである、請求項１記載の薬剤組成物。
【請求項３】
プロドーパミン作用を持つ直接ドーパミン作動性受容体アゴニスト化合物が、光学分割型のアミスルプリド、そして特にＳ−（−）−アミスルプリドである、請求項１記載の薬剤組成物。
【請求項４】
間接プロドーパミン作動性生成物が、メタドン、ブプレノルフィン、ＬＡＭとして知られている生成物、ナロルフィン、ナルトレキサート、コカエチレン及びレバロルファンから選択される、オピオイド受容体にか又はドーパミン作動系を間接的に興奮させることができる系に結合できる物質である、請求項１記載の薬剤組成物。
【請求項５】
神経弛緩薬をも含む、請求項１記載の薬剤組成物。
【請求項６】
直接プロドーパミン作動薬と、間接プロドーパミン作動性生成物との組合せが、特定の組成を有する、単一の確定した薬剤組成物の形である、前請求項のいずれか１項記載の薬剤組成物。
【請求項７】
直接プロドーパミン作動薬と間接プロドーパミン作動性生成物との組合せが、それぞれの活性成分を分離した形で含むキットの形である、請求項１〜６のいずれか１項記載の薬剤組成物。
【請求項８】
２種の活性成分の組合せが、２つの同一の製剤の形である、前請求項のいずれか１項記載の薬剤組成物。
【請求項９】
２種の活性成分の組合せが、２つの異なる製剤の形である、前請求項のいずれか１項記載の薬剤組成物。
【請求項１０】
間接プロドーパミン作動性物質の用量が、単回の摂取あたり０．２〜２０００mgの範囲である、前請求項のいずれか１項記載の薬剤組成物。
【請求項１１】
間接プロドーパミン作動性物質の用量が、０．２mg〜３００mgの範囲である、請求項１記載の薬剤組成物。
【請求項１２】
単回の摂取あたりのラセミ体アミスルプリド又はＳ（−）異性体の形のアミスルプリドの用量が、５０mg〜４００mgの範囲である、請求項１記載の薬剤組成物。
【請求項１３】
単回の摂取あたり、２５mg〜５００mgの用量のアミスルプリドの錠剤と、０．２〜５００mgの用量のナロルフィン、メタドン、ブプレノルフィン、ＬＡＭとして知られている生成物、ナルトレキサート、コカエチレン及びレバロルファンから選択される間接プロドーパミン作動性物質の錠剤から形成されることを特徴とする、請求項１及び請求項１２記載の薬剤組成物。
【請求項１４】
一方は直接プロドーパミン作動性物質の固体又は液体製剤、そしてもう一方は間接プロドーパミン作動性物質の液体製剤の、２本の瓶を含むキットの形であることを特徴とする、請求項１記載の薬剤組成物。
【請求項１５】
単回の摂取あたり１００〜４００mgのアミスルプリドと５mg〜２００mgのメタドンを含むことを特徴とする、ラセミ体又はエナンチオマーとして純粋な形のアミスルプリド又はその塩と、メタドンとの組合せよりなる、請求項１記載の薬剤組成物。
【請求項１６】
単回の摂取あたり、５０mg〜５００mgの用量の塩基型又は塩型のラセミ体又はエナンチオマー型の第１の薬剤学的に適切な用量のアミスルプリドと、０．２〜３０mgを含む第２の薬剤学的に適切な用量のブプレノルフィンを含む、キットの形である、請求項１記載の薬剤組成物。
【請求項１７】
１〜４mgのリスペリドンを含むことを特徴とする、リスペリドンと、ナロルフィン、メタドン、ブプレノルフィン及びナロルファンから選択される間接プロドーパミン作動薬との組合せよりなる、請求項１記載の薬剤組成物。
【請求項１８】
単回の摂取あたり、５０〜５００mgのアミスルプリドと、０．２〜３０mgのブプレノルフィン又はナルトレキソン又はナロルフィンを含むことを特徴とする、アミスルプリドと、ブプレノルフィン、ナルトレキソン又はナロルフィンとの組合せよりなる、請求項１記載の薬剤組成物。
【請求項１９】
１日に１〜３回の割合で投与することが意図される、請求項１記載の薬剤組成物。
【請求項２０】
合法又は非合法薬物への種々の形の嗜癖の予防又は治療用の、好ましくはキットの形の医薬の製造のための、前記と同義の直接プロドーパミン作用を持つ物質と、前記と同義の間接プロドーパミン作動性物質を含む、薬剤組成物の使用。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
ａ）及びｂ）１００重量部に対し、
ａ）複数のペンダントフリーラジカル重合性官能基を有し、Ｔｇが２０℃以上である（メタ）アクリロイルオリゴマーを５０〜９９重量部と、
ｂ）フリーラジカル重合性架橋剤、及び／又は、希釈剤モノマーを１〜５０重量部と、
ｃ）光開始剤を０．００１〜５重量部、と含む硬化性組成物。
【請求項２】
前記オリゴマーは、
ａ）及びｂ）１００重量部に対し、
ａ．２０℃以上のガラス転移温度を有するポリマーに単独重合可能な（メタ）アクリレートエステルモノマー単位を５０〜９９重量部と、
ｂ．ペンダントフリーラジカル重合性官能基を有するモノマー単位を１〜５０重量部と、
ｃ．２０℃未満のガラス転移温度を有するポリマーへと単独重合することが可能なモノマー単位を４０重量部未満、とを含む重合モノマー単位を含む請求項１に記載の組成物。
【請求項３】
更に、多官能性連鎖移動剤由来の単位を０．１〜１０重量部含む請求項２に記載の組成物。
【請求項４】
前記（メタ）アクリレートエステルが、５０℃以上のガラス転移温度を有するポリマーへと単独重合することが可能である、請求項２に記載の組成物。
【請求項５】
前記架橋剤が、ジ（メタ）アクリル酸エステルと、ビス（ヒドロキシメチル）−トリシクロ［５．２．１．０２．６］−デカンのビスアリルエーテルとから選択される請求項１に記載の組成物。
【請求項６】
前記架橋剤と前記希釈剤モノマーの総量が４０重量部未満である請求項１に記載の組成物。
【請求項７】
請求項１に記載の組成物を硬化した物。
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
赤外線吸収性のフタロシアニン化合物またはナフタロシアニン化合物と可塑剤とから実質的になる組成物であって、前記可塑剤が、多塩基酸または多価アルコールの１種類以上のエステルを含み、前記フタロシアニン化合物またはナフタロシアニン化合物が、組成物の全重量を基準にして約０．０００１〜約１０重量％の量で存在する、組成物。
【請求項２】
赤外線吸収性のフタロシアニン化合物またはナフタロシアニン化合物と、２０，０００ｐｓｉ（１３８ＭＰａ）〜１０００ｐｓｉ（７ＭＰａ）の弾性率を有する樹脂とを含む、ソーラーコントロール組成物。
【請求項３】
赤外線吸収性のフタロシアニン化合物またはナフタロシアニン化合物と、ポリビニルブチラールまたはエチレン−コ−酢酸ビニルとを含み、コーティング、フィルム、多層フィルム、シート、または多層シートの形態である、成形品。
【請求項４】
赤外線吸収性のフタロシアニン化合物またはナフタロシアニン化合物と、ポリビニルブチラールまたはエチレン−コ−酢酸ビニルとを含む、ソーラーコントロール積層体。
【請求項５】
ポリビニルブチラールまたはエチレン−コ−酢酸ビニルと、赤外線吸収性のフタロシアニン化合物またはナフタロシアニン化合物の濃縮物とから構成されるソーラーコントロール層を含むソーラーコントロール積層体であって、シミュレーション方法Ａを使用して前記積層体をシミュレートした場合に、可視光透過率のシミュレーション値Ｔvis-simが０．６５＜Ｔvis-sim＜０．７５となり、太陽光透過率のシミュレーション値Ｔsol-simが、フタロシアニン化合物の場合＜（０．９３２（Ｔvis-sim）−０．１４６）となり、ナフタロシアニン化合物の場合＜（０．４８１（Ｔvis-sim）−０．１６６）となるような、層厚さ、太陽光透過率、および可視光透過率を有する、ソーラーコントロール積層体。
【請求項６】
外部窓を有する構造体の内部への赤外線の透過を低減する方法であって、
ａ．請求項５に記載のソーラーコントロール積層体を作成するステップと；
ｂ．前記構造体の前記外部窓に前記ソーラーコントロール積層体を挿入するステップとを含む、方法。
【手続補正２】
【補正対象書類名】明細書
【補正対象項目名】０２４６
【補正方法】変更
【補正の内容】
【０２４６】
以上に、本発明の一部の好ましい実施形態を説明し、詳細に例示してきたが、このような実施形態に本発明が限定されることを意図するものではない。特許請求の範囲に記載される本発明の範囲および意図から逸脱せずに種々の変更を行うことができる。
次に、本発明の好ましい態様を示す。
１．赤外線吸収性のフタロシアニン化合物またはナフタロシアニン化合物と可塑剤とから実質的になる組成物であって、前記可塑剤が、多塩基酸または多価アルコールの１種類以上のエステルを含み、前記フタロシアニン化合物またはナフタロシアニン化合物が、組成物の全重量を基準にして約０．０００１〜約１０重量％の量で存在する、組成物。
２．溶液であり、フタロシアニン化合物またはナフタロシアニン化合物が、アルコキシ置換のフタロシアニン化合物またはナフタロシアニン化合物、あるいはブトキシ置換のフタロシアニン化合物またはナフタロシアニン化合物である、上記１に記載の組成物。
３．赤外線吸収性のフタロシアニン化合物またはナフタロシアニン化合物と、２０，０００ｐｓｉ（１３８ＭＰａ）〜１０００ｐｓｉ（７ＭＰａ）の弾性率を有する樹脂とを含む、ソーラーコントロール組成物。
４．前記樹脂がポリビニルブチラールまたはエチレン−コ−酢酸ビニルを含む、上記３に記載のソーラーコントロール組成物。
５．赤外線吸収性のフタロシアニン化合物またはナフタロシアニン化合物と、ポリビニルブチラールまたはエチレン−コ−酢酸ビニルとを含み、コーティング、フィルム、多層フィルム、シート、または多層シートの形態である、成形品。
６．赤外線吸収性のフタロシアニン化合物またはナフタロシアニン化合物と、ポリビニルブチラールまたはエチレン−コ−酢酸ビニルとを含む、ソーラーコントロール積層体。
７．ポリビニルブチラールまたはエチレン−コ−酢酸ビニルと、赤外線吸収性のフタロシアニン化合物またはナフタロシアニン化合物の濃縮物とから構成されるソーラーコントロール層を含むソーラーコントロール積層体であって、シミュレーション方法Ａを使用して前記積層体をシミュレートした場合に、可視光透過率のシミュレーション値Ｔvis-simが０．６５＜Ｔvis-sim＜０．７５となり、太陽光透過率のシミュレーション値Ｔsol-simが、フタロシアニン化合物の場合＜（０．９３２（Ｔvis-sim）−０．１４６）となり、ナフタロシアニン化合物の場合＜（０．４８１（Ｔvis-sim）−０．１６６）となるような、層厚さ、太陽光透過率、および可視光透過率を有する、ソーラーコントロール積層体。
８．前記フタロシアニン化合物またはナフタロシアニン化合物が、アルコキシ置換のフタロシアニン化合物またはナフタロシアニン化合物、あるいはブトキシ置換のフタロシアニン化合物またはナフタロシアニン化合物である、上記７に記載のソーラーコントロール積層体。
９．ポリマーシート／ソーラーコントロール層、剛性シート／ソーラーコントロール層、剛性シート／ポリマーシート／ソーラーコントロール層、第１の剛性シート／ポリマーシート／ソーラーコントロール層／追加ポリマーシート／第２の剛性シート、剛性シート／ポリマーシート／第１のソーラーコントロール層／追加ポリマーシート／追加フィルム、剛性シート／追加ポリマーシート／追加フィルム／ポリマーシート／ソーラーコントロール層、および第１の剛性シート／ポリマーシート／ソーラーコントロール層／追加ポリマーシート／第２の剛性シート／第２の追加ポリマーシート／追加フィルム／第３の追加ポリマーシート／第３の剛性シートからなる群より選択される構造を有し、「／」が隣接層を意味し、前記ソーラーコントロール層がフィルムまたはシートであってよく、フィルムまたはシートの「第２の」層は、そのフィルムまたはシートの第１の層と同種であっても異種であってもよく、「第３の」層は、そのフィルムまたはシートの第１および第２の層と同種であっても異種であってもよい、上記７に記載のソーラーコントロール積層体。
１０．外部窓を有する構造体の内部への赤外線の透過を低減する方法であって、
ａ．上記７に記載のソーラーコントロール積層体を作成するステップと；
ｂ．前記構造体の前記外部窓に前記ソーラーコントロール積層体を挿入するステップとを含む、方法。
１１．前記構造体が、建造物または乗り物であり、前記フタロシアニン化合物またはナフタロシアニン化合物が、アルコキシ置換のフタロシアニン化合物またはナフタロシアニン化合物、あるいはブトキシ置換のフタロシアニン化合物またはナフタロシアニン化合物である、上記１０に記載の方法。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
下記一般式1の一つ以上の化合物に加えて、少なくとも一つの他の活性物質2を含有する医薬組成物
【化１】
2009526817.tif 000001
(式中、nは、1、2、3又は4であり;
mは、1、2又は3であり;
Xは、CH2、CO、NR2、S又はOであり;
Aは、CO、SO又はSO2より選ばれる二重結合基であり;
Bは、O、S、CH2、CR3R4-O、CR3R4-S、NR5、CR3R4-NR5、CH=CH又はCH2-CH2より選ばれる二重結合基であり;
R1は、H、C1-6-アルキル、C2-6-アルケニル、C2-6-アルキニル、C3-6-シクロアルキル、C1-6-ハロアルキル、O-C1-6-ハロアルキル、ハロゲン、OH、CN、NO2、O-C1-6-アルキル、COOH又はCOO-C1-4-アルキルであり;
R2は、H、C1-6-アルキル、C1-4-アルキレン-C6-C10-アリール又はC1-4-アルキレン-C3-6-シクロアルキルであり;
R3は、H又はC1-6-アルキルであり;
R4は、H又はC1-6-アルキルであり;
R5は、H又はC1-6-アルキルである)。
【請求項２】
式1の一つ以上の化合物に加えて、他の活性物質2として抗コリン作用薬(2a)、PDEIV阻害剤(2b)、ステロイド剤(2c)、LTD4拮抗薬(2d)及びEGFR阻害剤(2e)の種類より選ばれる一つ以上の化合物を含有する、請求項1に記載の医薬組成物。
【請求項３】
一般式1の一つ以上の化合物を個々の光学異性体、個々のエナンチオマー又はラセミ体の混合物の形で含有する、請求項１又は２に記載の医薬組成物。
【請求項４】
一般式1の一つ以上の化合物を薬理的に許容され得る酸による酸付加塩の形で含有し、所望により、溶媒和物及び/又は水和物の形で含有してもよい、請求項１〜３のいずれか1項に記載の医薬組成物。
【請求項５】
一般式1の一つ以上の化合物に加えて、他の活性物質2として抗コリン作用薬(2a)を含有する、請求項１〜４のいずれか1項に記載の医薬組成物。
【請求項６】
一般式1の一つ以上の化合物に加えて、他の活性物質2としてPDE IV阻害剤(2b)を含有する、請求項１〜４のいずれか1項に記載の医薬組成物。
【請求項７】
一般式1の一つ以上の化合物に加えて、他の活性物質2としてステロイド(2c)を含有する、請求項１〜４のいずれか1項に記載の医薬組成物。
【請求項８】
1の治療的に有効な量に加えて、抗コリン作用薬(2a)の治療的に有効な量及びPDEIV阻害剤(2b)の治療量を含有することを特徴とする、請求項１〜４のいずれか1項に記載の医薬組成物。
【請求項９】
1の治療的に有効量に加えて、抗コリン作用薬(2a)の治療的に有効な量及びステロイド(2c)の治療量を含有することを特徴とする、請求項1〜6のいずれか1項に記載の医薬組成物。
【請求項１０】
1の治療的に有効な量に加えて、PDEIV阻害剤(2b)の治療的に有効な量及びステロイド(2c)の治療量を含有することを特徴とする、請求項１〜４のいずれか1項に記載の医薬組成物。
【請求項１１】
吸入に適した製剤の形であることを特徴とする、請求項１〜１０のいずれか1項に記載の医薬組成物。
【請求項１２】
吸入用粉末、噴射剤含有定量エアゾール及び噴射剤を含有しない吸入用溶液又は懸濁液を含む群より選ばれる製剤であることを特徴とする、請求項１１に記載の医薬組成物。
【請求項１３】
炎症性及び閉塞性呼吸器疾患の治療用、助産術における早期分娩の阻止(子宮収縮抑制)用、房室ブロックにおける心臓の洞律動の回復用、徐脈性心拍障害の修正(抗不整脈)用、循環ショックの治療(血管拡張や心臓容積の増大)用、また、皮層刺激や炎症の治療用の医薬組成物を調製するための請求項１〜１２のいずれか1項に記載の医薬組成物の使用。
【請求項１４】
種々の原因の閉塞性肺疾患、種々の原因の肺気腫、拘束性肺疾患、間質性肺疾患、嚢胞性線維症、種々の原因の気管支炎、気管支拡張症、ARDS(成人呼吸窮迫症候群)及び全ての様態の肺水腫を含む群より選ばれる呼吸器疾患の治療用の医薬組成物を調製するための請求項１３に記載の使用。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
式Ｉによって表される、鏡像異性的に純粋なアザ二環式ピリダジニルオキシ誘導体、又は医薬品として許容されるその塩であって、
【化１】
2009526814.tif 000001
式中、Ａｒは、フェニル又はチエニル基を表し、前記フェニル及びチエニル基は、ハロ、アルコキシ、アミノ、又はアルキル−カルボニル−アミノで任意選択で置換されている、上記鏡像異性的に純粋なアザ二環式ピリダジニルオキシ誘導体、又は医薬品として許容されるその塩。
【請求項２】
Ａｒがフェニル基を表し、前記フェニルが、ハロ、アルコキシ、アミノ、又はアルキル−カルボニル−アミノで任意選択で置換されている、請求項１に記載の鏡像異性的に純粋なアザ二環式ピリダジニルオキシ誘導体。
【請求項３】
Ａｒがチエニル基を表し、前記チエニルが、ハロ、アルコキシ、アミノ、又はアルキル−カルボニル−アミノで任意選択で置換されている、請求項１に記載の鏡像異性的に純粋なアザ二環式ピリダジニルオキシ誘導体。
【請求項４】
（Ｒ）−３−（６−フェニルエチニル−ピリダジン−３−イルオキシ）−１−アザ−ビシクロ［２．２．２］オクタン；
（Ｒ）−３−（６−チオフェン−３−イルエチニル−ピリダジン−３−イルオキシ）−１−アザ−ビシクロ［２．２．２］オクタン；
（Ｒ）−３−［６−（４−メトキシ−フェニルエチニル）−ピリダジン−３−イルオキシ］−１−アザ−ビシクロ［２．２．２］−オクタン；
（Ｒ）−Ｎ−｛４−［６−（１−アザ−ビシクロ［２．２．２］オクト−３−イルオキシ）−ピリダジン−３−イルエチニル］−フェニル｝−アセトアミド；
（Ｒ）−４−［６−（１−アザ−ビシクロ［２．２．２］オクト−３−イルオキシ）−ピリダジン−３−イルエチニル］−フェニルアミン；
（Ｒ）−３−［６−（１−アザ−ビシクロ［２．２．２］オクト−３−イルオキシ）−ピリダジン−３−イルエチニル］−フェニルアミン；
（Ｓ）−３−（６−フェニルエチニル−ピリダジン−３−イルオキシ）−１−アザ−ビシクロ［２．２．２］オクタン；
（Ｓ）−３−（６−チオフェン−３−イルエチニル−ピリダジン−３−イルオキシ）−１−アザ−ビシクロ［２．２．２］オクタン；
（Ｓ）−３−［６−（４−メトキシ−フェニルエチニル）−ピリダジン−３−イルオキシ］−１−アザ−ビシクロ［２．２．２］−オクタン；
（Ｓ）−Ｎ−｛４−［６−（１−アザ−ビシクロ［２．２．２］オクト−３−イルオキシ）−ピリダジン−３−イルエチニル］−フェニル｝−アセトアミド；
（Ｓ）−４−［６−（１−アザ−ビシクロ［２．２．２］オクト−３−イルオキシ）−ピリダジン−３−イルエチニル］−フェニルアミン；又は
（Ｓ）−３−［６−（１−アザ−ビシクロ［２．２．２］オクト−３−イルオキシ）−ピリダジン−３−イルエチニル］−フェニルアミン；
又は医薬品として許容されるその塩である、請求項１に記載の鏡像異性的に純粋なアザ二環式ピリダジニルオキシ誘導体。
【請求項５】
（Ｒ）−３−（６−フェニルエチニル−ピリダジン−３−イルオキシ）−１−アザ−ビシクロ［２．２．２］オクタン、又は医薬品として許容されるその塩である、請求項１に記載の鏡像異性的に純粋なアザ二環式ピリダジニルオキシ誘導体。
【請求項６】
（Ｓ）−３−（６−フェニルエチニル−ピリダジン−３−イルオキシ）−１−アザ−ビシクロ［２．２．２］オクタン、又は医薬品として許容されるその塩である、請求項１に記載の鏡像異性的に純粋なアザ二環式ピリダジニルオキシ誘導体。
【請求項７】
請求項１から６までのいずれか一項に記載の、鏡像異性的に純粋なアザ二環式ピリダジニルオキシ誘導体、又は医薬品として許容されるその付加塩、又はそのプロドラッグの、治療上有効な量を、少なくとも１種の医薬品として許容される担体又は希釈剤と共に含む、医薬品組成物。
【請求項８】
前記疾患、障害、又は状態が、認知障害、学習障害、記憶障害及び不全、アルツハイマー病、注意欠陥、注意欠陥過活動性障害（ＡＤＨＤ）、トゥーレット症候群、精神病、うつ病、双極性障害、躁病、躁うつ病、統合失調症、統合失調症に関連した認知又は注意欠陥、強迫神経症（ＯＣＤ）、パニック障害、神経性食思不振症や過食症、肥満症などの摂食障害、ナルコレプシー、痛覚、ＡＩＤＳ認知症、老人性認知症、自閉症、パーキンソン病、ハンチントン病、筋萎縮性側索硬化症、不安症、非ＯＣＤ不安障害、痙攣性障害、てんかん、神経変性障害、一過性酸素欠乏症、誘導性神経変性、ニューロパシー、糖尿病性ニューロパシー、周辺性失読症、遅発性ジスキネジー、運動過剰症、軽度の痛み、中等度又は重度の痛み、急性、慢性、又は再発性の痛み、片頭痛によって引き起こされる痛み、術後疼痛、幻肢痛、炎症性疼痛、神経因性疼痛、慢性頭痛、中枢性疼痛、糖尿病性ニューロパシー、帯状疱疹後神経痛、又は末梢神経損傷に関連した痛み、過食症、外傷後症候群、対人恐怖症、睡眠障害、偽認知症、ガンサー症候群、月経前症候群、後期黄体相症候群、慢性疲労症候群、無言症、抜毛癖、時差ぼけ、不整脈、平滑筋収縮、狭心症、早産、下痢、喘息、遅発性ジスキネジー、運動過剰症、早漏、勃起障害、高血圧症、炎症性障害、炎症性皮膚障害、にきび、酒さ、クローン病、炎症性腸疾患、潰瘍性大腸炎、下痢、又は、タバコなどのニコチン含有製品、ヘロイン、コカイン、及びモルヒネなどのオピオイド、ベンゾジアゼピン及びベンゾジアゼピン様薬物、及びアルコールを含めた中毒性物質の使用停止によって引き起こされる禁断症候群である、請求項７に記載の医薬品組成物。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
式Ｉの化合物、
【化１】
2009526816.tif 000001
任意のその異性体若しくはその異性体の任意の混合物、又は薬学的に許容されるその塩
［式中、
Ｑは、クロメン−２−オン基を表し、
このクロメン−２−オン基は、ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニルからなる群から独立に選択される１つ又は複数の置換基で場合によって置換されており、
Ｒ１は、水素又はアルキルを表し、
このアルキルは、ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニルからなる群から独立に選択される１つ又は複数の置換基で場合によって置換されており、
Ｒ２及びＲ３は、一緒になって−（ＣＨ２）−（ＣＨ２）−又は−（ＣＨ）＝（ＣＨ）−を形成する］。
【請求項２】
Ｒ２及びＲ３が、一緒になって−（ＣＨ２）−（ＣＨ２）−を形成し、Ｒ１が請求項１において定義された通りである、請求項１に記載の化合物。
【請求項３】
Ｒ１が、アルキル、アルケニル又はアルコキシアルキルを表す、請求項２に記載の化合物。
【請求項４】
Ｒ２及びＲ３が、一緒になって−（ＣＨ）＝（ＣＨ）−を形成し、Ｒ１が請求項１において定義された通りである、請求項１に記載の化合物。
【請求項５】
Ｒ１が水素又はアルキルを表す、請求項４に記載の化合物。
【請求項６】
Ｑが、クロメン−２−オン−イルを表し、このクロメン−２−オン−イル基が、ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニルからなる群から選択される置換基で３位において置換されている、請求項１から５までのいずれか一項に記載の化合物。
【請求項７】
エキソ−３−ブロモ−７−（８−アザ−ビシクロ［３．２．１］オクト−３−イルオキシ）−クロメン−２−オン；
エキソ−７−（８−アザ−ビシクロ［３．２．１］オクト−３−イルオキシ）−２−オキソ−２Ｈ−クロメン−３−カルボニトリル；
エキソ−６−（８−アザ−ビシクロ［３．２．１］オクト−３−イルオキシ）−３−ブロモ−クロメン−２−オン；
エキソ−７−（８−アザ−ビシクロ［３．２．１］オクト−３−イルオキシ）−３−クロロ−クロメン−２−オン；
エキソ−７−（８−アザ−ビシクロ［３．２．１］オクト−３−イルオキシ）−４−メチル−２−オキソ−２Ｈ−クロメン−３−カルボニトリル；
エキソ−７−（８−エチル−８−アザ−ビシクロ［３．２．１］オクト−３−イルオキシ）−クロメン−２−オン；
エキソ−７−（８−イソプロピル−８−アザ−ビシクロ［３．２．１］オクト−３−イルオキシ）−クロメン−２−オン；
エキソ−７−［８−（２−メトキシ−エチル）−８−アザ−ビシクロ［３．２．１］オクト−３−イルオキシ］−クロメン−２−オン；
エキソ−７−（８−アリル−８−アザ−ビシクロ［３．２．１］オクト−３−イルオキシ）−クロメン−２−オン；
エキソ−７−（８−アザ−ビシクロ［３．２．１］オクト−６−エン−３−イル）オキシ）−クロメン−２−オン；
エキソ−７−（８−メチル−８−アザ−ビシクロ［３．２．１］オクト−６−エン−３−イルオキシ）−クロメン−２−オン；
エキソ−３−ブロモ−７−（８−メチル−８−アザ−ビシクロ［３．２．１］オクト−３−イルオキシ）−クロメン−２−オン；
エキソ−３−クロロ−７−（８−メチル−８−アザ−ビシクロ［３．２．１］オクト−３−イルオキシ）−クロメン−２−オン；
又は薬学的に許容されるその塩である、請求項１に記載の化合物。
【請求項８】
少なくとも１種の薬学的に許容される担体、賦形剤又は希釈剤と共に、治療有効量の請求項１から７までのいずれか一項に記載の化合物、任意のその異性体若しくはその異性体の任意の混合物、又は薬学的に許容されるその塩を含む薬剤組成物。
【請求項９】
治療有効量の請求項１から７までのいずれか一項に記載の化合物、任意のその異性体若しくはその異性体の任意の混合物、又は薬学的に許容されるその塩を含む、中枢神経系中のモノアミン神経伝達物質の再取り込みの阻害に反応性の、ヒトを含む哺乳類の疾患又は障害又は状態の治療、予防又は緩和用の薬剤組成物。
【請求項１０】
前記疾患、障害又は状態が、気分障害、うつ病、非定型うつ病、疼痛に伴ううつ病、大うつ病性障害、気分変調性障害、双極性障害、双極Ｉ型障害、双極ＩＩ型障害、気分循環性障害、一般的な病状による気分障害、物質誘発性気分障害、偽認知症、ガンザー症候群、強迫障害、パニック障害、広場恐怖症を伴わないパニック障害、広場恐怖症を伴うパニック障害、パニック障害の病歴のない広場恐怖症、パニック発作、記憶障害、記憶喪失、注意欠陥過活動性障害、肥満、不安神経症、全般性不安障害、摂食障害、パーキンソン病、パーキンソニズム、認知症、加齢による認知症、老年認知症、アルツハイマー病、後天性免疫不全症候群による認知症、加齢による記憶障害、特定の恐怖症、社会恐怖、社会不安障害、心的外傷後ストレス傷害、急性ストレス障害、薬物嗜癖、薬物乱用、コカイン乱用、ニコチン乱用、タバコ乱用、アルコール依存症、アルコール中毒、窃盗癖、疼痛、慢性疼痛、炎症性疼痛、神経因性疼痛、片頭痛の痛み、緊張性頭痛、慢性緊張性頭痛、うつ病に関係する痛み、線維筋痛、関節炎、変形性関節症、関節リウマチ、背痛、癌の痛み、過敏性腸疼痛、過敏性腸症候群、術後疼痛、乳房切除後疼痛症候群（ＰＭＰＳ）、脳卒中後の痛み、薬物誘発性の神経障害、糖尿病性神経障害、交感神経依存性疼痛、三叉神経痛、歯痛、顔面筋疼痛、幻想肢痛、過食症、月経前症候群、月経前不快気分障害、黄体期後期症候群、外傷後症候群、慢性疲労症候群、尿失禁、緊張性尿失禁、急迫性尿失禁、夜尿症、性的不全、早漏、勃起困難、勃起不全、女性早発オルガスムス、下肢静止不能症候群、周期性四肢運動障害、摂食障害、神経性食欲不振症、睡眠障害、広汎性発達障害、自閉症、アスペルガー症候群、レット症候群、小児期崩壊性障害、学習不能症、運動能力障害、無言症、抜毛癖、ナルコレプシー、脳卒中後うつ病、脳卒中による脳損傷、脳卒中による神経細胞損傷、ジルドラトゥレット病、耳鳴り、チック障害、身体醜形障害、反抗的行為障害又は脳卒中後の能力障害である、請求項９に記載の薬剤組成物。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
下記特性を有する三機能二重特異性抗体の使用であって、
（ａ）Ｔ細胞に結合する特性；
（ｂ）腫瘍細胞上の少なくとも一つの腫瘍関連抗原に結合し、前記抗原が、Ｈｅｒ２／ｎｅｕ、ＣＤ２０、ＥｐＣＡＭ、Ｇ２５０、プロテオグリカン、ＧＤ２、ＧＤ３、ＭＨＣ  ＩＩ、ＥＧＦ−ＲおよびＣＥＡからなる群から選択される特性；
（ｃ）Ｆｃγ受容体Ｉ型およびＩＩＩ型陽性細胞の少なくとも一方に、Ｆｃ領域を通じて結合する特性；
腫瘍性疾患（ｔｕｍｏｒ  ｄｅｓｅａｓｅｓ）の予防および治療用の薬学的組成物を製造するための使用であり、前記腫瘍関連抗原が、下記のとおり前記腫瘍細胞上に発現されている使用。
・Ｈｅｒ２／ｎｅｕに関する腫瘍関連抗原が、腫瘍細胞あたり５，０００〜１５０，０００の量で、または
・ＦＩＳＨ法陰性（ｎｅｇａｔｉｖｅ）の腫瘍細胞におけるＨｅｒ２／ｎｅｕに関する腫瘍関連抗原が、腫瘍細胞あたり５００，０００以下の量で、または、
・ＣＤ２０に関する腫瘍関連抗原が、腫瘍細胞あたり１，０００〜３５０，０００の量で、または、
・ＥｐＣＡＭ、Ｇ２５０、プロテオグリカン、ＧＤ２、ＧＤ３、ＭＨＣ  ＩＩ、ＥＧＦＲおよびＣＥＡに関する腫瘍関連抗原が、腫瘍細胞あたり１，０００〜３５０，０００の量で。
【請求項２】
前記ＣＤ２０に関する腫瘍関連抗原が、腫瘍細胞あたり３１０，００以下の量で前記腫瘍細胞上に発現され、または、
前記ＥｐＣＡＭ、Ｇ２５０、プロテオグリカン、ＧＤ２、ＧＤ３、ＭＨＣ  ＩＩ、ＥＧＦＲおよびＣＥＡに関する腫瘍関連抗原が、腫瘍細胞あたり３００，０００以下の量で前記腫瘍細胞上に発現されている請求項１記載の使用。
【請求項３】
前記ＣＤ２０に関する腫瘍関連抗原が、腫瘍細胞あたり３００，００以下の量で前記腫瘍細胞上に発現されている請求項１または２記載の使用。
【請求項４】
前記腫瘍関連抗原が、Ｈｅｒ２／ｎｅｕまたはＣＤ２０である請求項１から３のいずれか一項に記載の使用。
【請求項５】
前記腫瘍抗原が、前記腫瘍細胞上に、腫瘍細胞あたり、５，０００〜１５０，０００の量で発現されている請求項１から４のいずれか一項に記載の使用。
【請求項６】
前記腫瘍抗原が、前記腫瘍細胞上に、腫瘍細胞あたり、２０，０００〜１１０，０００の量で発現されている請求項１から５のいずれか一項に記載の使用。
【請求項７】
前記腫瘍抗原が、前記腫瘍細胞上に、腫瘍細胞あたり、５０，０００〜１００，０００の量で発現されている請求項１から６のいずれか一項に記載の使用。
【請求項８】
前記腫瘍抗原が、前記腫瘍細胞上に、腫瘍細胞あたり、８０，０００〜１００，０００の量で発現されている請求項１から７のいずれか一項に記載の使用。
【請求項９】
前記三機能抗体が、抗ＣＤ３×抗腫瘍関連抗原抗体、抗ＣＤ４×抗腫瘍関連抗原抗体、抗ＣＤ５×抗腫瘍関連抗原抗体、抗ＣＤ６×抗腫瘍関連抗原抗体、抗ＣＤ８抗腫瘍関連抗原抗体、抗ＣＤ２×抗腫瘍関連抗原抗体、抗ＣＤ２８×抗腫瘍関連抗原抗体、および抗ＣＤ４４×抗腫瘍関連抗原抗体からなる群から選択される少なくとも一つである請求項１から８のいずれか一項に記載の使用。
【請求項１０】
前記三機能抗体が、異種性の二重特異性抗体から選択される請求項１から９のいずれか一項に記載の使用。
【請求項１１】
前記三機能抗体が、異種性のラット／マウス二重特異性抗体である請求項１から１０のいずれか一項に記載の使用。
【請求項１２】
前記三機能抗体が、そのＦｃ領域におけるアイソタイプの組み合わせにおいて、下記グループの少なくとも一つのメンバーから選択される請求項１から１１のいずれか一項に記載の使用。
ラット−ＩｇＧ２ｂ／マウス−ＩｇＧ２ａ
ラット−ＩｇＧ２ｂ／マウス−ＩｇＧ２ｂ
ラット−ＩｇＧ２ｂ／ヒト−ＩｇＧ１
ラット−ＩｇＧ２ｂ／ヒト−ＩｇＧ２
【請求項１３】
前記三機能抗体が、０．０５〜１５μｇ／ｋｇ体重の量で投与される請求項１から１２のいずれか一項に記載の使用。
【請求項１４】
前記三機能二重特異性抗体が、Ｆｃγ受容体Ｉ型／ＩＩＩ型に結合する抗Ｈｅｒ２／ｎｅｕ×抗ＣＤ３抗体である請求項１から１３のいずれか一項に記載の使用。
【請求項１５】
前記三機能二重特異性抗体が、前記ラット−ＩｇＧ２ｂ／マウス−ＩｇＧ２ａのアイソタイプの組み合わせを有する請求項１から１４のいずれか一項に記載の使用。
【請求項１６】
前記Ｈｅｒ２／ｎｅｕ抗原が、５，０００〜１５０，０００の量で、乳腺腫瘍細胞上に発現されている請求項１から１５のいずれか一項に記載の使用。
【請求項１７】
前記Ｈｅｒ２／ｎｅｕ抗原が、２０，０００〜１００，０００の量で、乳腺腫瘍細胞上に発現されている請求項１から１６のいずれか一項に記載の使用。
【請求項１８】
前記腫瘍性疾患が、Ｄａｋｏ社のＨｅｒｃｅｐ  Ｔｅｓｔ（登録商標）に従ってＨｅｒ２／ｎｅｕ値１＋に分類され、または前記Ｄａｋｏ社のＨｅｒｃｅｐ  Ｔｅｓｔ（登録商標）に従ってＨｅｒ２／ｎｅｕ値２＋の場合においてＦＩＳＨ法陰性に分類されるガンである請求項１から１７のいずれか一項に記載の使用。
【請求項１９】
前記ガンが、乳ガンである請求項１８記載の使用。
【請求項２０】
前記三機能二重特異性抗体が、Ｆｃγ受容体Ｉ型／ＩＩＩ型に結合する抗ＣＤ２０×抗ＣＤ３抗体である請求項１から１９のいずれか一項に記載の使用。
【請求項２１】
前記三機能二重特異性抗体が、前記ラット−ＩｇＧ２ｂ／マウス−ＩｇＧ２ａのアイソタイプの組み合わせを有する請求項１から２０のいずれか一項に記載の使用。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
以下から選択されたポリヌクレオチドを備える単離された発現ベクターと、薬学的に受容可能なキャリアとを備える、動物における血管新生を促進するための医薬品組成物を調製する方法：
（ａ）配列番号１、配列番号３、配列番号５、配列番号７、配列番号９及び配列番号１１、並びに、
（ｂ）配列番号２、配列番号４、配列番号６、配列番号８、配列番号１０及び配列番号１２のアミノ酸配列を有するポリペプチドをコードする配列。
【請求項２】
配列番号１０のアミノ酸配列を備えるポリペプチドに高い親和力で特異的に結合する抗体。
【請求項３】
配列番号４のアミノ酸配列を備えるポリペプチドの細胞外部分に高い親和力で特異的に結合する抗体。
【請求項４】
前記抗体はモノクローナルである請求項２又は３の抗体。
【請求項５】
前記抗体はポリクロナールである請求項２又は３の抗体。
【請求項６】
ゼブラフィッシュＬＥＣ３、ＣＸＣＲ４又はＥＤＮＲＡの全部又は一部を生産する方法であって、
発現制御配列に操作可能に結合された配列番号１、配列番号３、配列番号５、配列番号７、配列番号９又は配列番号１１の配列を備える発現ベクターを備える宿主細胞を、ゼブラフィッシュＬＥＣ３、ＣＸＣＲ４又はＥＤＮＲＡの全部又は一部の発現に適した培養条件下で培養し、
前記ＬＥＣ３、ＣＸＣＲ４又はＥＤＮＲＡの全部又は一部を単離すること、
を備える方法。
【請求項７】
ＬＥＣ３、ＣＸＣＲ４及びＥＤＮＲＡの全部又は一部をコードする核酸配列を備える単離されたポリヌクレオチドと、薬学的に受容可能なキャリアとを備える治療用組成物。
【請求項８】
請求項３の抗体と薬学的に受容可能なキャリアとを備える治療用組成物。
【請求項９】
配列番号２、配列番号４、配列番号６、配列番号８、配列番号１０及び配列番号１２から成る群から選択された少なくとも１つのアミノ酸配列を備えるポリペプチドと、薬学的に受容可能なキャリアとを備える治療用組成物。
【請求項１０】
ＬＥＣ３の発現を抑制する血管新生を抑制するのに十分な量のポリヌクレオチドと、薬学的に受容可能なキャリアとを備える、血管新生関連の疾病を治療するための医薬品組成物を調製する方法。
【請求項１１】
ＬＥＣ３、ＣＸＣＲ４及びＥＤＮＲＡポリペプチドの全部又は一部をコードする有効量の第１のポリヌクレオチドと、ＶＥＧＦポリペプチドをコードする有効量の第２のポリヌクレオチドと、薬学的に受容可能なキャリアとを備える、必要とする動物の血管新生を促進するための医薬品組成物を調製する方法。
【請求項１２】
ＬＥＣ３、ＣＸＣＲ４及び／又はＥＤＮＲＡ活性を抑制する化合物を同定する方法であって、試験化合物をＬＥＣ３、ＣＸＣＲ４及び／又はＥＤＮＲＡポリペプチドと接触させ、前記試験化合物がＬＥＣ３、ＣＸＣＲ４及び／又はＥＤＮＲＡ活性を抑制するかどうか判断することを備え、ＬＥＣ３、ＣＸＣＲ４及び／又はＥＤＮＲＡの活性を抑制する試験化合物は、ＬＥＣ３、ＣＸＣＲ４及び／又はＥＤＮＲＡのアンタゴニストであると同定される方法。
【請求項１３】
ＬＥＣ３、ＣＸＣＲ４及び／又はＥＤＮＲＡの前記生物活性は、ＬＥＣ３、ＣＸＣＲ４及び／又はＥＤＮＲＡに前記試験化合物を結合することにより測定される請求項１２の方法。
【請求項１４】
ＬＥＣ３、ＣＸＣＲ４及び／又はＥＤＮＲＡの生物学的な機能を抑制する有効量の細胞浸透性ペプチドを細胞に投与することを備える血管新生を抑制する方法。
【請求項１５】
ＶＥＧＦの発現又は生物学的機能を抑制する化合物の投与をさらに備える請求項１４の方法。
【請求項１６】
以下から成る群から選択された化合物と、薬学的に受容可能なキャリアとを備える、血管新生を促進するための医薬品組成物を調製する方法：
（ａ）  配列番号４１、配列番号４３、配列番号４５、配列番号４７、配列番号のヌクレオチド配列を有するポリヌクレオチドを備える単離された発現ベクター、
（ｂ）  配列番号４２、配列番号４４、配列番号４６、配列番号４８、配列番号５０、配列番号５２、配列番号５４、配列番号５６及び配列番号５８のアミノ酸配列を有するポリペプチドをコードする配列を有するポリヌクレオチドを備える単離された発現ベクター、
（ｃ）  配列番号４２、配列番号４４、配列番号４６、配列番号４８、配列番号５０、配列番号５２、配列番号５４、配列番号５６及び配列番号５８のアミノ酸配列を備えるポリペプチド。
【請求項１７】
血管新生を抑制するのに十分な量のＳＤＦ−１又はＥＴ−１に結合する抗体と、薬学的に受容可能なキャリアとを備える、血管新生関連の疾病を治療するための医薬品組成物を調製する方法。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
シャフトとハウジングとの間を密封し、潤滑剤側から非潤滑剤側へ漏出する潤滑剤をシャフトとの間の相対的な回転によって潤滑剤側に戻すことが可能に構成された双方向の動的シールであって、
前記非潤滑剤側に曝される有効面と、有効面の端部において前記潤滑剤側に面し、かつシャフトを中に配置することができる開口を画定するシールリップと、を有し、前記有効面が前記開口内に配置されたシャフトと係合し、シャフトに対してシールするように動作可能であるシール部と、
前記有効面に沿って延びて前記シールリップの手前で終了し、シールリップとの間に静的堰を備える複数の一次ポンプ要素であって、前記静的堰に近接した一対の終端点と、前記一次ポンプ要素に沿った前記シールリップから最も遠隔の位置の誘導点とを、それぞれが有するとともに、少なくとも２つの一次ポンプ要素が互いに交差し、前記有効面と前記開口内に配置されたシャフトとの間の相対的な回転によって、前記相対的な回転の方向に関わらず、前記シールリップを通り過ぎて漏出する潤滑剤を捉え、前記捉えた潤滑剤を前記シールリップに向けて、前記静的堰を通り過ぎて、前記潤滑剤側に戻すようにポンピングするように動作可能である複数の一次ポンプ要素と、
前記有効面に沿って延びる複数の二次ポンプ要素であって、前記一次ポンプ要素が前記二次ポンプ要素と前記シールリップとの間に配置されており、前記一次ポンプ要素を通り過ぎて漏出する潤滑剤を捉え、前記捉えた潤滑剤を、前記一次ポンプ要素の前記誘導点に向けて送るように動作可能である前記二次ポンプ要素と、
を備えているシール。
【請求項２】
前記一次ポンプ要素が、前記静的堰に近づくにつれて縮小する断面積を有している請求項１に記載のシール。
【請求項３】
前記一次ポンプ要素と前記二次ポンプ要素が溝である請求項１に記載のシール。
【請求項４】
シャフトとハウジングとの間を密封する双方向の動的シールであって、
シャフトと係合し、シャフトに対してシールを形成するように動作可能な有効面と、
シャフトを受け入れるように動作可能な開口を画定するシールリップと、
前記シールリップ通り過ぎて漏出する潤滑剤を捉え、捉えた潤滑剤を潤滑剤側にポンピングするように動作可能な、前記有効面上の双方向の流体ポンピングパターンであって、
（ｉ）前記有効面に沿って延び、捉えた潤滑剤を前記潤滑剤側にポンピングするように動作可能な複数の一次ポンプ要素であって、各一次ポンプ要素が前記シールリップに近接した一対の終端点を有し、各一次ポンプ要素が前記シールリップから遠隔の誘導点を有している複数の一次ポンプ要素と、
（ｉｉ）前記有効面に沿って延在する複数の二次ポンプ要素であって、前記一次ポンプ要素が前記二次ポンプ要素と前記シールリップとの間にあり、前記二次ポンプ要素が、前記一次ポンプ要素を通り過ぎて漏出する潤滑剤を捉え、捉えた潤滑剤を前記一次ポンプ要素に向けて送るように動作可能である複数の二次ポンプ要素と
を備える前記ポンピングパターンと、
を備え、
前記複数の一次ポンプ要素のそれぞれが、弓形かつ対称形であり、少なくとも２つの他の一次ポンプ要素と交差し、
前記複数の二次ポンプ要素は、前記複数の一次ポンプ要素のうちの２つにおける誘導点の間に延び、捉えた潤滑剤を前記一次ポンプ要素の前記誘導点に向けて送る複数のポンプ要素で構成された第１セットを有するシール。
【請求項５】
前記複数の二次ポンプ要素が、前記第１セットの各ポンプ要素のうちの１つの誘導点と連通する複数のポンプ要素で構成された第２セットを有している請求項４に記載のシール。
【請求項６】
二次ポンプ要素の前記第２セット内の各ポンプ要素が、前記第１セット内の２つの近接する二次ポンプ要素の近接する誘導点と連通している請求項５に記載のシール。
【請求項７】
少なくとも１つの二次ポンプ要素が少なくとも１つの他の二次ポンプ要素と交差する請求項４に記載のシール
【請求項８】
前記一次ポンプ要素のそれぞれが前記シールリップの手前で終了し、静的堰が各終端点と前記シールリップとの間に配置されている請求項４に記載のシール。
【請求項９】
前記一次ポンプ要素と二次ポンプ要素とが溝である請求項４に記載のシール。
【請求項１０】
前記二次ポンプ要素が、前記一次ポンプ要素を取り囲む少なくとも１つの環状のポンプ要素、ならびに前記環状のポンプ要素と前記誘導点との間に延び、このポンプ要素および誘導点と連通している実質的に真っ直ぐな複数のポンプ要素を含んでいる請求項４に記載のシール。
【請求項１１】
各一次ポンプ要素の大部分が、シャフトと接触する前記有効面の一部分に沿って延び、各二次ポンプ要素の大部分が、前記シャフトから離隔された前記有効面の一部分に沿って延びている請求項４に記載のシール。
【請求項１２】
前記一次ポンプ要素が、前記誘導点と前記終端点との間で縮小する断面積を有し、前記二次ポンプ要素が実質的に均一な断面積を有している請求項４に記載のシール。
【誤訳訂正書】
【提出日】平成22年1月7日(2010.1.7)
【誤訳訂正１】
【訂正対象書類名】明細書
【訂正対象項目名】００３６
【訂正方法】変更
【訂正の内容】
【００３６】
図７は、図６に従う構成を示しているが、ここでは、ストロークリミッタ１１６が設けられている。それは、例えば、ガセット要素１０４の延長部として形成されており、ガセット要素１０４と１０８との互いのより早い当接を導く。図６に従って、一つのコイルバネ１１４のみが使用される場合、中間のガセット要素１０６を放棄（省略）することができる。その場合、図６におけるような弾性の段階付けはできない。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
板金（１）または車両の床にある開口を密封する栓であって、
前記開口部を覆うキャップ（１０）であって、前記板金（１）または前記床の１つの側に固定される第１の周縁シール部（１４）が設けられた周縁フランジ（１２）を含むキャップ（１０）と、
前記開口に入る固定部（２０）と、
前記キャップ（１０）または固定部（２０）に形成された第２の周縁シール部（２４）であって、前記第１のシール部（１４）から離間し、前記板金（１）または前記床上に固定された第２の周縁シール部（２４）とを備え、
前記板金（１）または前記床と、前記２つのシール部（１４，２４）と、前記栓の少なくとも１つの壁とが空洞（５０）を形成し、
前記空洞（５０）と連通する圧力補償チャンバー（４０）を含み、前記圧力補償チャンバー（４０）の体積を変えることによって、前記空洞（５０）内部の温度変化によって生じる圧力変化を補償することを特徴とした栓。
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
ねじ連結部の性能限界の評価と関連した方法であって、
第１の複数の前記ねじ連結部に対する物理的試験を実施するステップを有し、
前記第１の複数のねじ連結部及び第２の複数のねじ連結部は評価群中にあり、
前記第１の複数のねじ連結部及び前記第２の複数のねじ連結部に対するモデル化分析を実施するステップを有し、前記第２の複数のねじ連結部には物理的に試験が行われておらず、
前記物理的試験の結果とモデル化分析の結果を比較して前記第１の複数のねじ連結部に関する固有の性能ファクタを評価するステップを有し、
前記固有性能ファクタを前記第２の複数のねじ連結部に適用するステップを有し、
前記固有性能ファクタに基づいて前記性能限界を特定するステップを有する、方法。
【請求項２】
炭化水素の産出と関連した方法であって、
ねじ連結部の評価群を評価するステップを有し、前記評価群中の第１の複数の前記ねじ連結部及び前記評価群中の第２の複数の前記ねじ連結部は、モデル化分析により分析され、前記評価群中の前記第１の複数のねじ連結具だけが、物理的に試験され、
前記ねじ連結部の前記評価に基づいて管状部材を得るステップを有し、
前記管状部材を坑井内に設置するステップを有し、
前記管状部材から地層流体を産出するステップを有する、方法。
【請求項３】
前記ねじ連結部の評価群を評価する前記ステップは、
ねじ連結部の評価群の構成要素をモデル分析によって決定するステップを有し、前記評価群は、前記第１の複数のねじ連結部及び前記第２の複数のねじ連結部を含み、
前記評価群中の前記第１の複数のねじ連結部に対する物理的試験を実施するステップを有し、
前記第１の複数のねじ連結部及び前記第２の複数のねじ連結部に対するモデル化分析を実施するステップを有し、前記第２の複数のねじ連結部には物理的に試験が行われておらず、
前記物理的試験の結果とモデル化分析の結果を比較して前記第１の複数のねじ連結部に関する固有の性能ファクタを評価するステップを有し、
前記固有性能ファクタを前記第２の複数のねじ連結部に適用するステップを有し、
前記固有性能ファクタに基づいて前記性能限界を特定するステップを有する、請求項２記載の方法。
【請求項４】
前記評価群は、一貫性のある特徴部を有するねじ連結部を含み、前記一貫性のある特徴部は、規定された範囲にわたるシール設計、ねじ山設計、ショルダ配設場所及びこれらの任意の組合せのうちの少なくとも１つを含む、請求項１又は３記載の方法。
【請求項５】
前記評価群は、一貫性のある性能特性を示すねじ連結部を含み、前記一貫性のある性能特性は、加えられた荷重に対する機械的応答、機械的荷重の変化に対する接触圧力の応答、及び種々の組立て条件に対する接触圧力の応答のうちの少なくとも１つを含む、請求項１又は３記載の方法。
【請求項６】
前記第１の複数のねじ連結部及び前記第２の複数のねじ連結部を連結部の幾何学的条件に基づいて少なくとも１つのエンベロープ内に収まるよう形成して前記評価群を特定するステップを有する、請求項１又は３記載の方法。
【請求項７】
前記第１の複数のねじ連結部及び前記第２の複数のねじ連結部を、前記第２の複数のねじ連結部の一部分が前記第１の複数のねじ連結部により定められる幾何学的条件範囲から外れた状態で少なくとも１つのエンベロープ内に収まるよう形成するステップを有する、請求項１又は３記載の方法。
【請求項８】
前記モデル化分析は、有限要素解析を含み、前記有限要素解析は、適用された境界条件に対する特徴部の応力−歪み応答を計算するプロセス、特徴部相互間の接触圧力を計算するプロセス、及び特徴部の表面のところの歪みを計算するプロセスのうちの少なくとも１つを含む、請求項１又は３記載の方法。
【請求項９】
前記ねじ連結部の前記評価群は、炭化水素を産出する際に利用される管状部材相互間のねじ連結部を含む、請求項１又は３記載の方法。
【請求項１０】
組立て及び始動試験、破損に至るまでの引張り又は圧縮試験、圧潰又は破裂試験、液体密封性又はガス密封性試験、疲労試験、曲げ試験、熱サイクル試験、及び熱的急冷試験のうちの少なくとも１つを含む、請求項１又は３記載の方法。
【請求項１１】
前記固有性能ファクタは、密封性ファクタ、構造的健全性ファクタ、耐ゴーリング性ファクタ、耐疲労性ファクタ、耐環境性ファクタ、及びこれらファクタの任意の組合せのうちの少なくとも１つを含み、前記密封性ファクタは、加圧リザーバ又は注入流体が２つの管状部材により形成された前記ねじ連結部内にどれほど良好に封入されるかによって定められ、前記構造的健全性ファクタは、加えられた荷重がねじ連結部特徴部間でどれほど良好に分布されるかで定められ、前記耐ゴーリング性ファクタは、摩擦摺動に起因する表面損傷がねじ連結部特徴部によりどれほど良好に持ち堪えられるかで定められ、前記耐疲労性ファクタは、繰り返し荷重が前記ねじ連結部の特徴部によってどれほど良好に持ち堪えられるかで定められ、前記耐環境性ファクタは、加えられた荷重並びにその結果としての応力及び歪みが攻撃的な環境の存在下で前記ねじ連結部の特徴部によりどれほど良好に取り扱われるかで定められる、請求項１又は３記載の方法。
【請求項１２】
前記固有性能ファクタは、a) 製造条件; b) 前記ねじ連結部の組立て及び設置の際における条件; c) 前記ねじ連結部の使用条件;  の１つ又は２つ以上の少なくとも一部に基づき、製造条件は、母材特性、表面仕上げ、特徴部の寸法、及び特徴部相互間の干渉のうちの少なくとも１つを含み、組立て及び設置条件は、組立てトルク、組立て速度、及びねじ山コンパウンドのうちの少なくとも１つを含み、使用条件は、温度、圧力、引張り荷重、圧縮荷重、曲げ荷重、及びねじり荷重のうちの少なくとも１つを含む、請求項３又は１１記載の方法。
【請求項１３】
前記地層流体は、炭化水素を含む、請求項２記載の方法。